(57)【要約】【課題】多くのセンサを用いることなく、構成が簡潔でコストの低減を図る。【解決手段】電気機器のリモートコントローラから無線送信される信号を受信するリモコンセンサ１４と、リモコンセンサ１４が受信した信号から電気機器の運転制御情報を検出する検出手段４１と、前記電気機器へ電力を供給する電力供給経路から消費電力に対応する信号を取り出す抽出手段４２と、前記検出手段４１により検出された運転制御の前後において前記抽出手段４２により取り出された信号に基づき、電気機器の消費電力を推定する推定手段４３とを具備する。【選択図】図１
2014176191.tif 000002
【特許請求の範囲】
【請求項１】
電気機器のリモートコントローラから無線送信される信号を受信する受信手段と、
前記受信手段が受信した信号から電気機器の運転制御情報を検出する検出手段と、
前記電気機器へ電力を供給する電力供給経路から消費電力に対応する信号を取り出す抽出手段と、
前記検出手段により検出された運転制御の前後において前記抽出手段により取り出された信号に基づき、電気機器の消費電力を推定する推定手段と、
前記推定手段により推定された消費電力を電気機器の識別情報に対応付けて記憶する記憶手段と、
前記受信手段による信号受信と、前記記憶手段に記憶された情報とに基づき消費電力に関する表示を行う制御手段と
を具備することを特徴とする消費電力監視システム。
【請求項２】
現在電力消費している電気機器の識別情報と共に消費電力を表示することを特徴とする請求項１に記載の消費電力監視システム。
【請求項３】
各電気機器の消費電力変動を運転制御情報に対応させて記憶し、表示することを特徴とする請求項１または請求項２に記載の消費電力監視システム。
【請求項４】
受信手段が複数の部屋の部屋毎に設置され、記憶手段は電気機器を部屋毎に区分して記憶し、部屋毎に区分して消費電力に関する表示を行うことを特徴とする請求項１乃至３のいずれか１項に記載の消費電力監視システム。
【請求項５】
受信手段の受信以外のときの消費電力変動を抽出し、この情報に対応させて電気機器の識別情報と記憶し、表示することを特徴とする請求項１乃至４のいずれか１項に記載の消費電力監視システム。
【請求項６】
検出手段は、電気機器の種別情報を検出し、記憶すると共に表示することを特徴とする請求項１乃至５のいずれか１項に記載の消費電力監視システム。
【発明の詳細な説明】
【技術分野】
【０００１】
この発明は、電気機器の消費電力監視システムに関するものである。
【背景技術】
【０００２】
従来、家庭内の家電製品に関する消費電力を監視するためには、多くのセンサが必要となっていた。例えば、家庭内の各部屋毎に消費電力を監視するために、家庭内の消費電力の総計を検出するセンサ、ブレーカ毎の消費電力を検出するセンサ、更に、電気機器毎の消費電力を検出するセンサが必要であった。
【０００３】
例えば電力系統の許容電力を超えないように各機器の電源供給の制御を行う場合、家電機器毎の消費電力計測部を備えるものが知られている（特許文献１参照）。
【先行技術文献】
【特許文献】
【０００４】
【特許文献１】特開２０１２−２２２９７６号公報
【発明の概要】
【発明が解決しようとする課題】
【０００５】
上記の通り、従来の消費電力監視システムによれば、多数のセンサを設ける必要があり、構成が複雑となり、コストも高くなるという問題があった。
【０００６】
本発明は上記のような従来の消費電力監視システムにおける問題点を解決せんとしなされたもので、その目的は、多くのセンサを用いることなく、構成が簡潔でコストの低減を図ることが可能な消費電力監視システムを提供することである。
【課題を解決するための手段】
【０００７】
本発明に係る消費電力監視システムは、電気機器のリモートコントローラから無線送信される信号を受信する受信手段と、前記受信手段が受信した信号から電気機器の運転制御情報を検出する検出手段と、前記電気機器へ電力を供給する電力供給経路から消費電力に対応する信号を取り出す抽出手段と、前記検出手段により検出された運転制御の前後において前記抽出手段により取り出された信号に基づき、電気機器の消費電力を推定する推定手段と、前記推定手段により推定された消費電力を電気機器の識別情報に対応付けて記憶する記憶手段と、前記受信手段による信号受信と、前記記憶手段に記憶された情報とに基づき消費電力に関する表示を行う制御手段とを具備することを特徴とする。
【０００８】
本発明に係る消費電力監視システムは、現在電力消費している電気機器の識別情報と共に消費電力を表示することを特徴とする。
【０００９】
本発明に係る消費電力監視システムは、各電気機器の消費電力変動を運転制御情報に対応させて記憶し、表示することを特徴とする。
【００１０】
本発明に係る消費電力監視システムは、受信手段が複数の部屋の部屋毎に設置され、記憶手段は電気機器を部屋毎に区分して記憶し、部屋毎に区分して消費電力に関する表示を行うことを特徴とする。
【００１１】
本発明に係る消費電力監視システムは、受信手段の受信以外のときの消費電力変動を抽出し、この情報に対応させて電気機器の識別情報と記憶し、表示することを特徴とする。
【００１２】
本発明に係る消費電力監視システムでは、検出手段は、電気機器の種別情報を検出し、記憶すると共に表示することを特徴とする。
【発明の効果】
【００１３】
本発明に係る消費電力監視システムは、電気機器のリモートコントローラから無線送信される信号を受信する構成により消費電力監視を行うので、受信手段は通常は１部屋に１つ設置すれば良く、構成の簡素化とコスト低減を図ることができる。また、受信手段が受信した信号から電気機器の運転制御情報を検出し、電気機器へ電力を供給する電力供給経路から消費電力に対応する信号を取り出すようにし、検出された運転制御の前後において取り出された信号に基づき、電気機器の消費電力を推定するようにしているので、電気器対応にセンサを設けることなく、構成の簡素化とコスト低減を図ることができる。
【００１４】
本発明に係る消費電力監視システムは、消費電力に関する表示を行うので、消費電力の可視化が簡単な構成で可能である。特に、現在電力消費している電気機器の識別情報と共に消費電力を表示し、各電気機器の消費電力変動を運転制御情報に対応させて記憶し、表示し、電気機器を部屋毎に区分して記憶し、部屋毎に区分して消費電力に関する表示を行うなどするので、様々な消費電力が可視化され、消費電力の把握が可能である。
【図面の簡単な説明】
【００１５】
【図１】本発明に係る消費電力監視システムの実施形態の構成を示すブロック図。
【図２】本発明に係る消費電力監視システムの実施形態の動作を示すフローチャート。
【図３】本発明に係る消費電力監視システムの実施形態による消費電力の推定動作を示す波形の図。
【図４】本発明に係る消費電力監視システムの実施形態により記憶、表示される情報の一例を示す図。
【図５】本発明に係る消費電力監視システムの実施形態により記憶、表示される情報の一例を示す図。
【図６】本発明に係る消費電力監視システムの実施形態により記憶、表示される情報の一例を示す図。
【発明を実施するための形態】
【００１６】
以下添付図面を参照して本発明に係る消費電力監視システムの実施形態を説明する。各図において同一の構成要素には、同一の符号を付して重複する説明を省略する。図１には、本発明の実施形態に係る消費電力監視システムの構成図が示されている。このシステムでは、家庭内の一部屋Ｒ１に関する例を示すが、部屋は複数あっても良い。
【００１７】
部屋Ｒ１には、複数の電気機器としての家電製品１１−１、・・・、１１−ｎが設けられている。家電製品１１−１、・・・、１１−ｎには、商用電源などの電源１２から電力が供給される。家電製品１１−１、・・・、１１−ｎに対しては、リモートコントローラ１３−１、・・・、１３−ｎが対応し、人の操作に応じて運転制御信号を無線送信する。無線送信は、特に限定がないが赤外線通信を含むものとする。
【００１８】
また、部屋Ｒ１には、リモートコントローラ１３−１、・・・、１３−ｎから送信される信号を受信するリモコンセンサ１４が設置される。リモコンセンサ１４は、リモートコントローラ１３−１、・・・、１３−ｎから無線送信される信号を受信する受信手段として機能する。リモコンセンサ１４は、リモートコントローラ１３−１、・・・、１３−ｎの送信信号が赤外線通信によるときにはこれに対応し、その他の通信方式によるときにはそれに対応するものとする。
【００１９】
本実施形態では、消費電力監視を行うためにパーソナルコンピュータなどのプロセッサを含んで構成されるコントロール部２０が備えられる。コントロール部２０に対しては、リモートコントローラ１３−１、・・・、１３−ｎにより送信されリモコンセンサ１４において受信された信号が送られる。この信号はディジタル化されてコントロール部２０に取り込まれる。
【００２０】
更に、コントロール部２０は、電源１２から各家電製品１１−１、・・・、１１−ｎへ電力供給する総計の電力を検出する電力信号検出部３１から、消費電力に対応する信号を取り込みものである。この消費電力に対応する信号についてもディジタル化して取り込むものとする。
【００２１】
コントロール部２０には、情報を表示するための表示部２１、コマンドや情報を入力するためのキーボードなどの入力部２２、情報を記憶するための外部記憶装置などの記憶手段を構成する記憶部２３が接続されている。
【００２２】
コントロール部２０には、検出手段４１、抽出手段４２、推定手段４３、制御手段４４が備えられている。検出手段４１は、受信手段であるリモコンセンサ１４が受信した信号から電気機器の運転制御情報を検出するものである。抽出手段４２は、各家電製品１１−１、・・・、１１−ｎへ電力を供給する電力供給経路の電力信号検出部３１から消費電力に対応する信号を取り出すものである。
【００２３】
推定手段４３は、上記検出手段４１により検出された運転制御の前後において上記抽出手段４２により取り出された信号に基づき、電気機器の消費電力を推定するものである。記憶部２３には、上記推定手段４３により推定された消費電力を電気機器の識別情報に対応付けて記憶される。この記憶に関する処理は制御手段４４によって行われる。制御手段４４は、受信手段であるリモコンセンサ１４による信号受信と、上記記憶手段である記憶部２３に記憶された情報とに基づき消費電力に関する表示を行う。
【００２４】
上記の表示は、表示部２１に行っても良い。表示部２１における表示と共に、或いは表示部２１における表示を行わないで、表示電力に関する表示データを図示しない通信回線からデータベースサーバに送って、このデータベースサーバへアクセスした機器（パーソナルコンピュータや携帯端末等）において表示しても良い。また、表示部２１における表示と共に、或いは表示部２１における表示を行わないで、表示電力に関する表示データを図示しない通信回線から所定の機器（パーソナルコンピュータや携帯端末等）へ送信して表示しても良い。
【００２５】
以上のように構成された消費電力監視システムにおいて、コントロール部２０は図２に示されるフローチャートに対応するプログラムにより動作を行う。電源の投入または入力部２２からの指示により消費電力監視動作がスタートとなり、リモコンセンサ１４からの信号到来を待つ（Ｓ１１）。
【００２６】
リモコンセンサ１４からの信号が到来すると、電力信号検出部３１からの信号に基づき、変動が生じた消費電力を求める（Ｓ１２）。例えば、図３（ａ）に示されるように、電力信号検出部３１からの信号に基づく消費電力が、リモコンセンサ１４からの信号到来時に変化したものとする。この場合には、対応する家電製品のリモートコントローラにおいて電源オンの信号が送出されたものと推定される。そして、電源オン以前の平均消費電力と電源オン以降の平均消費電力の差が上記家電製品の消費電力と推定される。
【００２７】
ステップＳ１２に続いて、リモコンセンサ１４からの信号に基づき当該家電製品の機種を検出する（Ｓ１３）。即ち、リモートコントローラ１３−１、・・・、１３−ｎにより送信される信号には、当該家電製品の機器識別情報と機種情報が含まれるものとし、これがリモコンセンサ１４からの信号に含まれる。この検出された機種に基づき、電源オンオフ以外に運転モードがあるのかを検出する（Ｓ１４）。例えば、エアコンでは温度制御があり、調光機能付照明器具では調光制御があるので、これらの電気製品は、電源オンオフ以外に運転モードがある。電源オンオフ以外に運転モードがあるか否かについては、機種情報に対応させて電源オンオフ以外に運転モードがあるか否かの情報をコントロール部２０が備えるようにすることができる。
【００２８】
ステップＳ１４においてＮＯへ分岐すると、リモコンセンサ１４に対応する部屋番号、リモコンセンサ１４からの信号に含まれる上記機器識別情報に対応させて、オンオフの区別と、消費電力を対応させて記憶し、前述の如くの手法による表示を行う（Ｓ１５）。このときの記憶、表示される情報の一例を図４に示す。
【００２９】
一方、ステップＳ１４においてＹＥＳへ分岐すると、リモコンセンサ１４に対応する部屋番号、リモコンセンサ１４からの信号に含まれる上記機器識別情報に対応させて、オンオフ以外の運転モード切り換えである旨の情報と、変動した消費電力を対応させて記憶し、前述の如くの手法による表示を行う（Ｓ１６）。このときの記憶、表示される情報の一例を図５に示す。
【００３０】
上記図４、図５に示した如くの、記憶、表示される情報には、トータル消費電力（この家全体の消費電力）を含ませたが、トータル消費電力は表示だけでも良い。また、機器識別情報に対応する機器名称（テレビ、エアコンなど）を予め記憶しておき、機器識別情報に代えて或いは機器識別情報と共に表示するようにすることもできる。
【００３１】
ステップＳ１６の次には、この度の消費電力変動が特に大きなものであるか否かを検出する（Ｓ１７）。特に大きいか否かは、例えば、閾値（０．５ＫＷ／Ｈなど）を決めておき、これを超えるか否かに基づき決定することができる。また、消費電力変動の履歴情報を記憶しておき、この履歴に基づき特に大きいか否かを判定することができる。
【００３２】
上記ステップＳ１７においてＹＥＳへ分岐した場合には、今回の変動に係る消費電力をオンオフ時の消費電力とし、リモコンセンサ１４に対応する部屋番号、リモコンセンサ１４からの信号に含まれる上記機器識別情報に対応させて、オンオフの区別とを対応させて記憶し、前述の如くの手法による表示を行う（Ｓ１８）。このときの記憶、表示される情報の一例は既に図４に示した如くになる。
【００３３】
上記ステップＳ１５、Ｓ１８が終了した場合、またはステップＳ１７においてＮＯへ分岐した場合にはステップＳ１１に戻って処理が続けられる。
【００３４】
また、ステップＳ１１においてＮＯへ分岐した場合には、電力信号検出部３１からの信号に基づき、消費電力に変動が生じたか否かを検出する（Ｓ２１）。このステップＳ２１においてＹＥＳへ分岐すると、予め与えられて記憶してある機器識別情報に対応させて、消費電力を対応させて記憶し、前述の如くの手法による表示を行う（Ｓ２２）。このときの記憶、表示される情報の一例を図６に示す。この図６に示した、記憶、表示される情報には、トータル消費電力（この家全体の消費電力）を含ませたが、トータル消費電力は表示だけでも良い。また、機器識別情報に対応する機器名称（テレビ、エアコンなど）を予め記憶しておき、機器識別情報に代えて或いは機器識別情報と共に表示するようにすることもできる。
【００３５】
上記ステップＳ２１、Ｓ２２によって、受信手段であるリモコンセンサ１４の受信以外のときの消費電力変動を抽出し、この情報に対応させて電気機器の識別情報と記憶し、表示することができる。この場合には、リモートコントローラによらない運転制御による家電製品について予め機器識別情報に対応させて記憶してなど、別の手段により消費電力を得ておくならば、リモコンセンサ１４の受信以外のときの消費電力変動を抽出し、この情報に対応させて該当電気機器の識別情報と記憶し、表示することができる。なお、消費電力の表示は、文字と共に、或いは文字によらず、棒グラフや各種のイラストによる表示としても良い。
【符号の説明】
【００３６】
１１−１、・・・、１１−ｎ  家電製品
１２    電源
１３−１、・・・、１３−ｎ  リモートコントローラ
１４    リモコンセンサ
２０    コントロール部
２１    表示部
２２    入力部
２３    記憶部
３１    電力信号検出部
４１    検出手段
４２    抽出手段
４３    推定手段
４４    制御手段
【図１】
2014176191.tif 000003
【図２】
2014176191.tif 000004
【図３】
2014176191.tif 000005
【図４】
2014176191.tif 000006
【図５】
2014176191.tif 000007
【図６】
2014176191.tif 000008